(57)【特許請求の範囲】
【請求項１】
底部ガラス板と上部ガラス板とが中間層により接着された合わせガラスとテーブル支持用の連結具とを有するテーブル板であって、前記合わせガラスは、一方が大径側、他方が小径側となっている皿状の取り付け用孔が１個以上設けられている底部ガラス板に、上部ガラス板が該取り付け用孔の大径側の面が合わせ面となるように前記中間層を介して接着されてなり、この底部ガラス板の取り付け用孔には前記連結具が嵌め込まれ、かつ底部ガラス板に固定されていることを特徴とするテーブル板。
【請求項２】
前記底部ガラス板の周縁部の少なくとも１辺を前記上部ガラス板に対して突出させて、前記上部ガラス板がその周縁部に見掛け上の切り欠き状部を有するような段違い構造となし、該切り欠き状部に断面Ｌ字状の小寸保護具を係合して合わせガラスの側面に取り付けたことを特徴とする請求項１のテーブル板。
【請求項３】
前記上部ガラス板の上側の主表面に、セラミックス印刷により凹凸パターンを形成してあることを特徴とする請求項１または２のテーブル板。
【請求項４】
前記連結具はガスケットとソケットとワッシャと支持ボルトとからなり、前記ソケットは前記底部ガラス板の取り付け用孔の大径側を覆う蓋部と前記取り付け用孔の内周面形状に対応する外周面形状を呈する周壁部とを有すると共に前記ソケットの内面に雌螺子部を有しており、前記支持ボルトは小寸高さの円柱部と該円柱部の上平面の中央に一体的に設けられている上部雄螺子を有しており、前記ソケットは前記底部ガラス板の取り付け用孔に前記ガスケットおよびワッシャを介在して挿入され、前記ソケットの雌螺子部に前記支持ボルトの上部雄螺子を螺合することにより螺子止めされていることを特徴とする請求項１、２または３のテーブル板。
【請求項５】
床または壁に固定されているテーブル脚に、前記連結具を連結することにより、請求項１、２、３または４のテーブル板が取り付けられていることを特徴とするテーブル。
【発明の詳細な説明】
【０００１】
【産業上の利用分野】
本発明は、テーブル板とテーブルに関するものである。
【０００２】
【従来の技術】
図１１に示すように、従来におけるテーブルの構造の１つとして、ガラス板を支持部材４８の上部に載せてテーブル板４０とするものが知られている。かかるガラステーブル板としては、１枚の強化ガラス板を用いたり、あるいは、未強化のフロート板ガラス２枚を合わせガラス用中間層により積層した合わせガラスを用いたりする。１１１は床、１１０は立上り壁、４９はテーブル脚である。
【０００３】
この場合において、支持部材に対するテーブル板のずれや落下を防止する対策としては、１枚のガラス板をテーブルとして用いる場合には、図１２（ａ）に示すように、テーブル板４０と支持部材４８とを接着剤４１で接着固定する方法があるが、接着材による接着力は機械的な保持力には及ばないと考えられる。
【０００４】
そこで、１枚のガラス板、または、合わせガラスをテーブルとして用いる場合において、図１２（ｂ）に示すように、ガラス板端部をアングル形状部品４３で押さえると共に支持部材４８で機械的に支持する方法があるが、支持部材４８がテーブル下の足下にあるので、足廻りに有効なスペースを確保することができず、あまり快適ではない。
【０００５】
このようなテーブル板を単に支持部材の上に乗せ接着固定する方法では、自由端支持に近いためにモーメントが大きくなり、ガラス重量によるガラスの撓み変形が顕著に現れる。
【０００６】
また、ガラス板は面内の強度よりも端部の強度が比較的に低くガラス板に破損が発生する位置はガラス板の端部による場合が殆どである。そこで、図１２（ｃ）に示すように、アングル形状部品４５を接着剤４４によりテーブル板（ガラス板）４０のコーナーの位置に取り付けることによりガラスコーナーを保護する方法があるが、かかる方法では、アングル形状部品が突き出ているためにテーブルの手触りの感触が良くなかった。
【０００７】
また、ガラス板の表面は平滑であるので、このガラス表面を持つテーブルの上に氷の入ったグラスを載せた場合には、グラスの表面に結露し、ガラス表面とグラスの間に水膜ができグラスがさらに滑りやすくなる。そこで、ガラス表面での滑りを防止する滑り止め方法としては、一般的には、ガラス板表面を粗にするブラスト処理が考えられるが、かかる方法では不十分であって滑りやすかった。
【０００８】
【発明が解決しようとする課題】
本発明は、従来技術が有していた前述の課題を解決しようとするものであり、テーブルの足廻りに有効なスペースを確保しつつテーブル板を支持部材にしっかりと保持すると共に、ガラス重量によるガラス板の撓み量を小さくしたテーブル板とテーブルを提供しようとするものである。
【０００９】
さらには、ガラス端部を保護しガラス強度を補強しつつテーブルの手触りの感触を良くしたテーブル板とテーブル、あるいはテーブル上面の滑り安さをなくしたテーブル板とテーブルを提供しようとするものである。
【００１０】
【課題を解決するための手段】
本発明は前述の課題を解決すべくなされたものであり、底部ガラス板と上部ガラス板とが接着された合わせガラスとテーブル支持用の連結具とを有するテーブル板であって、前記合わせガラスは、一方が大径側と他方が小径側となっている皿状の取り付け用孔が１個以上明けられている底部ガラス板と上部ガラス板とが該取り付け用孔の大径側の面が合わせ面となるように合わせガラス用中間層を介して接着されてなり、前記底部ガラス板の取り付け用孔には前記連結具が嵌め込まれ、かつ前記連結具が前記底部ガラス板を緊締していることを特徴とするテーブル板を提供するものである。
【００１１】
合わせガラス用中間層の形成方法については、予め膜状に形成された合成樹脂中間膜を用いる方法、あるいは、２液混合方式の樹脂注入法を用いて、底部ガラス板と上部ガラス板との間に２種類の樹脂液体を空気に触れないようにしながら注入して中間層を形成するなどの方法がある。
【００１２】
好ましい実施態様として、前記底部ガラス板の周縁部の少なくとも１辺を前記上部ガラス板に対して突出させて、前記上部ガラス板がその周縁部に見掛け上の切り欠き状部を有するような段違い構造となし、該切り欠き状部に断面Ｌ字状の小寸保護具を嵌めるようにして合わせガラスの側面に取り付けたことを特徴とするテーブル板を提供するものである。本実施態様においてテーブルの両側からテーブルを利用する場合には、この小寸保護具が取り付けられている１辺に相対する辺も同様にして、上部ガラス板に見掛け上の切り欠き状部を設けて、小寸保護具を取り付ける。
【００１３】
なお、テーブルの片側のみからテーブルを利用する場合には、好ましい実施態様として、前記底部ガラス板の周縁部の１辺を前記上部ガラス板に対して突出させて、前記上部ガラス板がその周縁部に見掛け上の切り欠き状部を有するような段違い構造となし、該切り欠き状部に断面Ｌ字状の小寸保護具を嵌めるようにして合わせガラスの側面に取り付けられており、しかも、この小寸保護具が取り付けられている１辺に相対する辺には、断面Ｌ字状の大寸保護具が前記上部ガラス板の上端部を止着するようにして合わせガラスの側面に取り付けられていることを特徴とするテーブル板を提供するものである。
【００１４】
小寸保護具および大寸保護具にはステンレスなどの金属やプラスチックなどを用いることができる。
【００１５】
好ましい実施態様として、前記上部ガラス板の上側の主表面に、セラミックス印刷により凹凸パターンを形成してあることを特徴とするテーブル板をも提供するものである。
【００１６】
なお、セラミックス印刷の凹凸パターンの模様としては、その好ましい１例として、図３に示すように、ドット模様などのセラミックス印刷が施されているが、ドット模様だけではなく、意匠性も考慮しつつ適宜他の模様も選択できる。
【００１７】
また、ガラスフリットとカラー顔料と有機バインダーなどを混練してペーストとなし、ドット模様などの所定の模様をシルクスクリーン印刷法により、ガラス板に印刷し、続いて、ガラス板を焼成することによりセラミックス印刷を施すことが可能であるので、かかる方法により印刷してあるガラス板を前記の上部ガラス板として用いればよい。
【００１８】
また、好ましい実施態様として、前記連結具はガスケットとソケットとワッシャと支持ボルトとからなり、前記ソケットは前記底部ガラス板の取り付け用孔の大径側を覆う蓋部と前記取り付け用孔の内周面形状に対応する外周面形状を呈する周壁部とを有すると共に前記ソケットの内面に雌螺子部を有しており、また、前記支持ボルトは小寸高さの円柱部と該円柱部の上平面の中央に一体的に設けられている上部雄螺子を有しており、前記ソケットは、前記底部ガラス板の取り付け用孔に前記ガスケットおよびワッシャを介在して挿入され、前記ソケットの雌螺子部に前記支持ボルトの上部雄螺子を螺合して螺子止めされている。
【００１９】
このように構成されているので、前記連結具は、前記の皿状の取り付け用孔の内周面形状に対応する外周面形状を呈するソケットの周壁部と前記支持ボルトの締め付け効果により前記底部ガラス板に固定されている。
【００２０】
また、本発明は、床または壁に固定されているテーブル脚に、前記連結具を連結することにより、前記テーブル板が取り付けられていることを特徴とするテーブルを提供するものである。
【００２１】
好ましい実施態様を述べれば、床または壁に固定されているテーブル脚に、連結子を介して前記連結具を連結し、前記連結具の支持ボルトは前記円柱部の下平面の中央に一体的に設けられている下部雄螺子をも有し、前記連結子は大径で円柱状の連結子上部と小径で略円柱状の連結子下部とを有し、該連結子上部は前記下部雄螺子に対応する雌螺子を有する袋ナット状になっていると共に該連結子下部はその中央部分にリング溝が施してあり、前記テーブル脚はその頭部に前記連結子下部を挿入可能な大きさの円柱状の止め穴が加工されていると共にその頭部の周壁には止め用雌螺子が前記連結子下部のリング溝に係合可能なように加工してあって、前記支持ボルトの下部雄螺子を前記連結子上部の雌螺子に螺合すると共に前記連結子下部を前記テーブル脚の止め穴に挿入し前記止め用雌螺子に止め螺子を螺合することによって、前記テーブル脚に前記連結子および連結具を介して前記テーブル板が取り付けられていることを特徴とするテーブルを提供するものである。
【００２２】
【作用】
本発明においては、底部ガラス板に明けられている皿状の取り付け用孔に連結具が嵌め込まれ、かつ、連結具が底部ガラス板を緊締しているので、テーブル板の支持方法が、従来技術におけるような自由端支持ではなく固定端支持であって、曲げモーメントが小さくなってガラス板の撓みが小さくなる。
【００２３】
また、連結具でしっかりと底部ガラス板を固定しているので、従来技術におけるようにテーブル板のテーブル脚による支持を、テーブル板の周囲４辺または４点などで行う必要がなく、２点または１点で行うことが可能であり、足廻りに有効なスペースを確保することができる。
【００２４】
また、本発明の好ましい態様においては、人がテーブルを利用する側について、前記底部ガラス板の周縁部の少なくとも１辺を前記上部ガラス板に対して突出させて、前記上部ガラス板がその周縁部に見掛け上の切り欠き状部を有するような段違い構造となし、該切り欠き状部に断面Ｌ字状の小寸保護具を嵌めるようにして合わせガラスの側面に取り付けたことにより、ガラス端部を保護できるとともに、この保護具が突出していないので、手触りもよく快適である。
【００２５】
また、本発明の他の好ましい態様においては、前記上部ガラスの主表面に、セラミックス印刷により凹凸パターンを形成してあるので滑り止め効果が期待でき、テーブルの上に氷の入ったグラスを載せた場合においても、グラスが容易に滑ってしまうという心配がない。
【００２６】
【実施例】
図１は本発明のテーブルの側面図、図２は図１のテーブルの正面図であり、床１１１から立ち上がっている立ち上がり壁１１０にテーブル脚９が取り付けられていて、そのテーブル脚９に連結子８を介して、テーブル板１が取り付けられている。
【００２７】
また、底部ガラス板６には皿状の取り付け用孔（図１には図示せず）が明けられていて連結具５が取り付けられていると共に、底部ガラス板６の上側には合わせガラス用中間層７により上部ガラス板２が積層されている。そして、この連結具５が連結子８に連結されていることにより、テーブル板１がテーブル脚９に取り付けられている（図８で詳述する。）。なお、テーブル脚９は立ち上がり壁１１０ではなく、部屋を仕切っている壁や床に取り付けられていてもよい。
【００２８】
また、図６、図７にも示すように、底部ガラス板６の周縁部の１辺を上部ガラス板２に対して突出させて、上部ガラス板２がその周縁部に見掛け上の切り欠き状部１９を有するような段違い構造となし、切り欠き状部１９に断面Ｌ字状の小寸保護具４ａを嵌めるようにして合わせガラスの側面に取り付けられているので、このサイドに人がいて、テーブルを利用する場合に、ガラス端部を保護できるとともに、この保護具が突出していないので、手触りもよく快適である。
【００２９】
図３は、図１のテーブルに使用されているテーブル板１の平面図、図４は図３のテーブル板１の正面図、図５は図３のテーブル板１の裏面図、図６は図３のテーブル板１の側面図、図７は図３のテーブル板１のＡ−Ａ線に沿った断面図である。図３において、３は上部ガラス板２の主表面に施されているドット模様のセラミックス印刷である。また、図５において１８は連結具５を取り付けるために、底部ガラス板６に設けられている取り付け用孔である。
【００３０】
図８は、図７の要部Ｂの拡大断面図であり、底部ガラス板６に明けられた皿状の取り付け用孔１８への連結具５の取り付け構造を詳細に示した図面である。
【００３１】
図９は、ソケット１０とガスケット１１とワッシャ１２と支持ボルト１３とよりなる、図７中に示した連結具５のそれぞれの部品図であり、（ａ）はソケット１０の平面図、（ｂ）はソケット１０の断面図であり、ソケット１０は底部ガラス板に明けられた皿状の取り付け用孔１８の大径側を覆う蓋部１５と取り付け用孔の内周面形状に対応する外周面形状を呈する周壁部１６を有すると共にソケットの内面に雌螺子部１７を有している。
【００３２】
図９（ｃ）はガスケット１１の平面図、（ｄ）はガスケット１１の断面図である。ガスケット１１としては、アルミ製のガスケットが好適に用いられる。
【００３３】
図９（ｅ）はワッシャ１２の平面図、（ｆ）はワッシャ１２の断面図である。ワッシャ１２としては樹脂製のワッシャが好適に用いられる。図９（ｇ）は支持ボルト１３の平面図、（ｈ）は支持ボルト１３の断面図であり、支持ボルト１３は小寸高さの円柱部２０と円柱部２０の上平面の中央に一体的に設けられている上部雄螺子２１と円柱部２０の下平面の中央に一体的に設けられている下部雄螺子２２とよりなる。
【００３４】
図８に示すように、底部ガラス板６に明けられた皿状の取り付け用孔１８にはガスケット１１とワッシャ１２を介して、ソケット１０が嵌められ、ソケットの雌螺子部１７には、支持ボルト１３が螺入されている。
【００３５】
一方、底部ガラス板６の上側には合わせガラス用中間層７により上部ガラス板２が積層されている。
【００３６】
図１０は、図１のテーブル脚９と連結子８との構成を示す説明図であり、図１０（ａ）はテーブル脚９の頭部３０と連結子８と止め螺子３３の各々の斜視図、図１０（ｂ）はテーブル脚９の頭部３０と連結子８と支持ボルト１３を連結し、この連結子８に前記支持ボルト１３を取り付けた状態における斜視図である。
【００３７】
図示してあるように、連結子８は大径で円柱状の連結子上部２５と小径で略円柱状の連結子下部２７からなっている。連結子上部２５は連結具５の支持ボルト１３の下部雄螺子２２に対応する雌螺子２６を有する袋ナット状になっており、連結子下部２７はその中央部分にリング溝２８が施してある。テーブル脚９はその頭部３０に連結子下部２７を挿入可能な大きさの円柱状の止め穴３１が加工されていると共にその頭部３０の周壁には複数の止め用雌螺子３２が連結子下部２７のリング溝２８に係合可能なように設けられている。連結具５と連結子８とテーブル脚９とは、支持ボルト１３の下部雄螺子２２を連結子上部２５の雌螺子２６に螺合すると共に連結子下部２７をテーブル脚９の止め穴３１に挿入し止め用雌螺子３２に止め螺子３３を螺合することにより連結されている。
【００３８】
以上を総括して本実施例の概要を説明すれば、テーブル板１の底部ガラス板６に皿状の取り付け用孔１８が明けられていると共に連結具５が取り付けられている。一方、床１１１から立ち上がっている立ち上がり壁１１０にテーブル脚９が取り付けられて、テーブル脚９の頭部３０に連結子８を介して連結具５が連結されることにより、テーブル板１はテーブル脚９に取り付けられている。
【００３９】
また、底部ガラス板６の上側には合わせガラス用中間層７により上部ガラス板２が積層されている。上部ガラス板２の上側の主表面にはセラミックス印刷３により凹凸パターンが形成してあり、また、少なくとも１辺には、見掛け状の切り欠き部１９が設けてあって、小寸保護具が取り付けてある。
【００４０】
【発明の効果】
請求項１の発明により、テーブルの足廻りに有効なスペースを確保しつつテーブル板を支持部材にしっかりと固定保持すると共に、テーブル板としてのガラス板の撓み量を小さくすることができた。
【００４１】
また、請求項２の発明により、ガラス端部を保護しガラス強度を補強しつつテーブルの手触りの感触を良くすることができ、請求項３の発明により、テーブル上面の滑り安さをなくするなどの特性を持ったテーブル板を提供することが可能となった。
【００４２】
また、請求項４の発明により、上記テーブル板の好ましい実施態様を提供することが可能となった。
【００４３】
また、請求項５の発明により、上記のテーブル板を備えたテーブルを提供することが可能となった。
【図面の簡単な説明】
【図１】本発明のテーブルの側面図。
【図２】図１のテーブルの正面図。
【図３】図１のテーブルに使用されているテーブル板の平面図。
【図４】図３のテーブル板の正面図。
【図５】図３のテーブル板の裏面図。
【図６】図３のテーブル板の側面図。
【図７】図３のテーブルのＡ−Ａ線に沿った断面図。
【図８】図７の要部Ｂの拡大断面図。
【図９】図７中に示した連結具５のそれぞれの部品図であり、（ａ）はソケットの平面図、（ｂ）はソケットの断面図、（ｃ）はガスケットの平面図、（ｄ）はガスケットの断面図、（ｅ）はワッシャの平面図、（ｆ）はワッシャの断面図、（ｇ）は支持ボルトの平面図、（ｈ）は支持ボルトの断面図。
【図１０】図１のテーブル脚９と連結子８との構成を示す説明図であり、（ａ）はテーブル脚の頭部と連結子と止め螺子の各々の斜視図、（ｂ）はテーブル脚の頭部と連結子と支持ボルトを連結した状態における斜視図。
【図１１】従来のテーブルの側面図。
【図１２】従来のテーブルの要部説明図であり、（ａ）はテーブル板の支持方法の第１例を説明する側面図、（ｂ）はテーブル板の支持方法の第２例を説明する側面図、（ｃ）はテーブル板のコーナーを保護する方法の１例を説明する斜視図。
【符号の説明】
１、４０：テーブル板
２：上部ガラス板
３：セラミックス印刷
４ａ：小寸保護具
４ｂ：大寸保護具
５：連結具
６：底部ガラス板
７：合わせガラス用中間層
８：連結子
９、４９：テーブル脚
１０：ソケット
１１：ガスケット
１２：ワッシャ
１３：支持ボルト
１５：蓋部
１６：周壁部
１７：雌螺子部
１８：取り付け用孔
１９：切り欠き状部
２０：円柱部
２１：上部雄螺子
２２：下部雄螺子
２５：連結子上部
２６：雌螺子
２７：連結子下部
２８：リング溝
３０：頭部
３１：止め穴
３２：止め用雌螺子
３３：止め螺子
４１：接着剤
４３、４５：アングル形状部品
４８：支持部材
１１０：立ち上がり壁
１１１：床
【図１】
0003618137.tif 000002
【図２】
0003618137.tif 000003
【図３】
0003618137.tif 000004
【図４】
0003618137.tif 000005
【図５】
0003618137.tif 000006
【図６】
0003618137.tif 000007
【図７】
0003618137.tif 000008
【図８】
0003618137.tif 000009
【図９】
0003618137.tif 000010
【図１０】
0003618137.tif 000011
【図１１】
0003618137.tif 000012
【図１２】
0003618137.tif 000013